(57)【要約】【課題】  本発明はセメントと骨材に応じた水を収納できるようにして、使用時には現場へ運び込むだけで、水の量の調整等むつかしい管理を行なうことなく生コンクリートを製造することができるコンクリート原料の収納袋およびコンクリート原料を得るにある。【解決手段】  セメントと骨材および水を収納することができる防水性の袋と、この防水性の袋を外周部より押し圧して、セメントと骨材の収納部と水の収納部とに仕切る着脱可能な挟着具とでコンクリート原料の収納袋を構成している。【選択図】  図３
2006315694.tif 000002
【特許請求の範囲】
【請求項１】
セメントと骨材および水を収納することができる防水性の袋と、この防水性の袋を外周部より押し圧して、セメントと骨材の収納部と水の収納部とに仕切る着脱可能な挟着具とからなることを特徴とするコンクリート原料の収納袋。
【請求項２】
セメント、骨材および水を収納することができる防水性の袋と、この防水性の袋を外周部より押し圧して、セメントの収納部、骨材の収納部および水の収納部とに仕切る着脱可能な２個の挟着具とからなることを特徴とするコンクリート原料の収納袋。
【請求項３】
セメントと骨材および水を収納することができる防水性の袋と、この防水性の袋内に分離して収納されたセメントと骨材および水と、前記防水性の袋を外周部より押し圧してセメントと骨材の収納部と水の収納部とに仕切る着脱可能な挟着具とからなることを特徴とするコンクリート原料。
【請求項４】
セメント、骨材および水を収納することができる防水性の袋と、この防水性の袋内に分離して収納されたセメント、骨材および水と、前記防水性の袋を外周部より押し圧してセメントの収納部、骨材の収納部および水の収納部とに仕切る着脱可能な２個の挟着具とからなることを特徴とするコンクリート原料。
【発明の詳細な説明】
【技術分野】
【０００１】
本発明はコンクリート原料の収納袋およびコンクリート原料に関する。
【背景技術】
【０００２】
従来、コンクリート原料はセメントを袋に収納したり、セメントと骨材とを混合したものが袋に収納されている。
【０００３】
このため、使用する場合にはセメントと骨材に応じた水を用意しなければ、生コンクリートに加工することができないという欠点があった。
【特許文献１】特になし
【発明の開示】
【発明が解決しようとする課題】
【０００４】
本発明は以上のような従来の欠点に鑑み、セメントと骨材に応じた水を収納できるようにして、使用時には現場へ運び込むだけで、水の量の調整等むつかしい管理を行なうことなく生コンクリートを製造することができるコンクリート原料の収納袋およびコンクリート原料を提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はセメントと骨材および水を収納することができる防水性の袋と、この防水性の袋を外周部より押し圧して、セメントと骨材の収納部と水の収納部とに仕切る着脱可能な挟着具とでコンクリート原料の収納袋を構成している。
【０００７】
本発明はセメントと骨材および水を収納することができる防水性の袋と、この防水性の袋内に分離して収納されたセメントと骨材および水と、前記防水性の袋を外周部より押し圧してセメントと骨材の収納部と水の収納部とに仕切る着脱可能な挟着具とでコンクリート原料を構成している。
【発明の効果】
【０００８】
以上の説明から明らかなように、本発明にあっては次に列挙する効果が得られる。
【０００９】
（１）セメントと骨材および水を収納することができる防水性の袋と、この防水性の袋を外周部より押し圧して、セメントと骨材の収納部と水の収納部とに仕切る着脱可能な挟着具とで構成されているので、セメントと骨材および水とを収納することができる。
したがって、現場へ運び込めば従来のように水を調達したり、水の量を計ったりすることなく、生コンクリートを製造することができる。
【００１０】
（２）前記（１）によって、現場で挟着具を外して防水性の袋を転がしたりして動かすことにより、該袋内で生コンクリートを製造することができる。
したがって、従来のように生コンクリートを製造するためのトレー等がなくても簡単に生コンクリートを製造することができる。
【００１１】
（３）前記（１）によって、セメントと骨材および水が防水性の袋に収納できるので、容易に運搬することができる。
【００１２】
（４）請求項２、３、４も前記（１）〜（３）と同様な効果が得られる。
【発明を実施するための最良の形態】
【００１３】
以下、図面に示す本発明を実施するための最良の形態により、本発明を詳細に説明する。
【００１４】
図１ないし図９に示す本発明を実施するための最良の第１の形態において、１は本発明のコンクリート原料で、このコンクリート原料１は防水性の袋２と、この防水性の袋２内に分離して収納された、混合されたセメント３と砂利や砂等の骨材４および、該セメント３と骨材４とを最適な生コンクリートにできる量の水５と、前記防水性の袋２の分離部２ａの外周部より押し圧してセメントと骨材の収納部６と水の収納部７とに仕切る着脱可能な挟着具８とで構成されている。
【００１５】
前記挟着具８は図４に示すように、前記防水性の袋２の分離部２ａを外周に位置させることができる、該防水性の袋２の両側部より外方へ突出する丸パイプ材９と、この丸パイプ材９を押し圧することができる内壁面に、ゴム等の弾性材１０、１０が貼り付けられた、該丸パイプ材９の両端部より外方へ突出するアングル状の一対の挟着バー１１、１１と、この一対の挟着バー１１、１１の両端部に取付けられた、該一対の挟着バー１１、１１で前記丸パイプ９にほぼ巻き付き状態で位置する防水性の袋２の分離部２ａを挟着固定するボルト１２、１２と蝶ナット１３、１３とで構成されている。
【００１６】
上記構成のコンクリート原料１は図６に示すように、両端部が開口された防水性の袋２の分離部２ａに挟着具８を取付け、コンクリート原料の収納袋１４にした後、図７に示すように該コンクリート原料の収納袋１４のセメントと骨材の収納部６にセメント３と骨材４を混合したものを、あらかじめ設定された量を収納して開口部６ａを密閉する。
【００１７】
次にコンクリート原料の収納袋１４の図８に示すように、水の収納部７にあらかじめ設定された量の水５を収納して、開口部２ａを密閉することが完了する。
【００１８】
このように構成されたコンクリート原料１は図５に示すように、トラック等で使用現場へ運ばれ、図９に示すように挟着具８を取り外して、コンクリート原料の収納袋１４を動かすことにより、セメント３、骨材４および水５とが混合して、生コンクリートを製造することができる。
コンクリート原料の収納袋１４内で生コンクリートになった状態で、コンクリート原料の収納袋１４の一端部をカットして、生コンクリートの使用現場へ排出することができる。
なお、本発明の実施の形態ではセメント３と骨材４とを混合したものを収納したが、本発明はこれに限らず、混合しない状態でセメントと骨材の収納部６に収納してもよい。
[発明を実施するための異なる形態]
【００１９】
次に、図１０ないし図２７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図１０ないし図１２に示す本発明を実施するための第２の形態において、前記
本発明を実施するための最良の第１の形態と主に異なる点は、２個の挟着具８、８を用いたコンクリート原料の収納袋１４Ａ
にセメント３、骨材４および水５をそれぞれ分離して収納したコンクリート原料１Ａにした点で、このように構成しても、前記本発明を実施するための最良の第１の形態と同様な作用効果が得られる。
【００２１】
図１３ないし図１５に示す本発明を実施するための第３の形態において、前記本発明を実施するための最良の第１の形態と主に異なる点は、水の収納部７にキャップ１５で開閉することができる開口部１６を形成したコンクリート原料の収納袋１４Ｂ
を用いたコンクリート原料１Ｂにした点で、このように構成しても前記本発明を実施するための最良の第１の形態と同様な作用効果が得られるとともに、水の収納部７への水の収納後の密閉作業を容易に行なうことができる。
【００２２】
図１６ないし図１８に示す本発明を実施するための第４の形態において、前記本発明を実施するための第３の形態と主に異なる点は、セメントと骨材の収納部６に紐１７等で閉じることができる出入筒１８を形成したコンクリート原料の収納袋１４Ｃ
を用いたコンクリート原料１Ｃにしても、前記本発明を実施するための第３の形態と同様な作用効果が得られるとともに、セメント３と骨材４の収納後の密閉作業が容易にできるとともに、生コンクリートの排出も出入筒１８で行なうことができるため、再使用することができるコンクリート原料の収納袋１４Ｃにできる。
【００２３】
図１９ないし図２１に示す本発明を実施するための第５の形態において、前記本発明を実施するための第４の形態と主に異なる点は、一端部がヒンジ部材１９で開閉可能に取付けられた挟着面にゴム等の弾性材１０、１０が貼着されたチャンネル状の一対の挟着バー１１Ａ、１１Ａと、この一対の挟着バー１１Ａ、１１Ａの両端部を締付け固定する締付具２０を用いた挟着具８Ａを用いたコンクリート原料の収納袋１４Ｄを用いたコンクリート原料１Ｄにした点で、このように構成しても前記本発明を実施するための第４の形態と同様な作用効果が得られる。
【００２４】
図２２ないし図２４に示す本発明を実施するための第６の形態において、前記本発明を実施するための最良の第１の形態と主に異なる点は、防水性の袋２の分離部２ａの内壁面にシールを確実に図ることができるようにゴムや軟質合成樹脂材を帯状のフイルム状等に加工したシール剤２１を取付けたコンクリート原料の収納袋１４Eを用いたコンクリート原料１Eにした点で、このように構成しても前記本発明を実施するための最良の第１の形態と同様な作用効果が得られるとともに、分離部２ａのシールを確実に図ることができる。
【００２５】
図２５ないし図２7に示す本発明を実施するための第7の形態において、前記本発明を実施するための最良の第１の形態と主に異なる点は、水の収納部７が小幅寸法になるＬ字状に形成した防水性の袋２Ａを用いるとともに、この防水性の袋２Ａの水の収納部７のセメントと骨材の収納部６側の分離部２ａを挟着具８で挟着することができるコンクリート原料の収納袋１４Ｆを用いたコンクリート原料１Fにした点で、このように構成しても前記本発明を実施するための最良の第１の形態と同様な作用効果が得られるとともに、分離部２ａの幅寸法が小さいため、分離部２ａのシールを挟着具８で確実に図ることができる。
【００２６】
なお、前記本発明を実施する形態で水の収納部にキャップを用いた開口部を設けるものについて説明したが、本発明はこれに限らず、水枕の開口部のように折り曲げることができる開口部を形成して、その状態を保つ保持具を用いたものであってもよい。
また、セメントと骨材の収納部にもキャップを用いた開口部を形成してもよい。さらに挟着具８、８Ａはセメントと骨材の収納部６と水収納部７とを防水可能に着脱可能に分離することができるものであれば、どんな構造のものを用いてもよい。
【産業上の利用可能性】
【００２７】
本発明はコンクリート原料の収納袋およびコンクリート原料を製造する産業で利用できる。
【図面の簡単な説明】
【００２８】
【図１】本発明を実施するための最良の第１の形態の平面図。
【図２】本発明を実施するための最良の第１の形態の正面図。
【図３】図１の３−３線に沿う拡大断面図。
【図４】本発明を実施するための最良の第１の形態の挟着具の説明図。
【図５】本発明を実施するための最良の第１の形態の積み重ねた状態で建設現場へ運搬する状態の説明図。
【図６】本発明を実施するための最良の第１の形態のコンクリート原料の収納袋の平面図。
【図７】本発明を実施するための最良の第１の形態のセメントと骨材を収納する状態の説明図。
【図８】本発明を実施するための最良の第１の形態の水を収納する状態の説明図。
【図９】本発明を実施するための最良の第１の形態の生コンクリートにする状態の説明図。
【図１０】本発明を実施するための第２の形態の平面図。
【図１１】本発明を実施するための第２の形態の正面図。
【図１２】図１０の１２−１２線に沿う拡大断面図。
【図１３】本発明を実施するための第３の形態の平面図。
【図１４】本発明を実施するための第３の形態の正面図。
【図１５】図１３の１５−１５線に沿う拡大断面図。
【図１６】本発明を実施するための第４の形態の平面図。
【図１７】本発明を実施するための第４の形態の正面図。
【図１８】図１６の１８−１８線に沿う拡大断面図。
【図１９】本発明を実施するための第５の形態の平面図。
【図２０】図１９の２０−２０線に沿う拡大断面図。
【図２１】本発明を実施するための第５の形態の挟着具の説明図。
【図２２】本発明を実施するための第６の形態の平面図。
【図２３】図２２の２３−２３線に沿う拡大断面図。
【図２４】本発明を実施するための第６の形態のコンクリート原料の収納袋の平面図。
【図２５】本発明を実施するための第7の形態の平面図。
【図２６】本発明を実施するための第7の形態の正面図。
【図２７】図２５の２7−２7線に沿う拡大断面図。
【符号の説明】
【００２９】
１、１Ａ〜１Ｆ：コンクリート原料、
２、２Ａ：防水性の袋、        ３：セメント、
４：骨材、                    ５：水、
６：セメントと骨材の収納部、  ７：水の収納部、
８、８Ａ：挟着具、            ９：丸パイプ材、
１０：弾性材、                １１、１１Ａ：挟着バー、
１２：ボルト、                １３：蝶ナット、
１４、１４Ａ〜１４Ｆ：コンクリート原料の収納袋、
１５：キャップ、              １６：開口部、
１７：紐、                    １８：出入筒、
１９：ヒンジ部材、            ２０：締付具。
【図１】
2006315694.tif 000003
【図２】
2006315694.tif 000004
【図３】
2006315694.tif 000005
【図４】
2006315694.tif 000006
【図５】
2006315694.tif 000007
【図６】
2006315694.tif 000008
【図７】
2006315694.tif 000009
【図８】
2006315694.tif 000010
【図９】
2006315694.tif 000011
【図１０】
2006315694.tif 000012
【図１１】
2006315694.tif 000013
【図１２】
2006315694.tif 000014
【図１３】
2006315694.tif 000015
【図１４】
2006315694.tif 000016
【図１５】
2006315694.tif 000017
【図１６】
2006315694.tif 000018
【図１７】
2006315694.tif 000019
【図１８】
2006315694.tif 000020
【図１９】
2006315694.tif 000021
【図２０】
2006315694.tif 000022
【図２１】
2006315694.tif 000023
【図２２】
2006315694.tif 000024
【図２３】
2006315694.tif 000025
【図２４】
2006315694.tif 000026
【図２５】
2006315694.tif 000027
【図２６】
2006315694.tif 000028
【図２７】
2006315694.tif 000029